(57)【要約】　　　（修正有）【課題】発光動力竹とんぼ玩具の提供。【解決手段】飛行翼２０と該飛行翼を駆動し回転させる駆動装置を具え、該飛行翼が、リング２１と、該リングの中心点に位置して第１面と第２面を具えて第１面に該駆動装置と仮性係合する軸管が凸設された基板２２と、該基板の周縁より輻射状に外向きに凸伸し並びに該リングに連結された複数の翼片２３と、該飛行翼に設けられた発光装置２４と、該基板に設けられて発光装置に電力供給する電力供給装置２５と、該基板の第２面を閉合するカバー２６と、を具えている。本考案は日中、夜間のいずれでも使用でき、その飛行高度が高く、且つ幻光効果を有し、また、独楽としての使用もでき、推奨に有利である。【選択図】　　　　図２
0003097324.tif 000002
【実用新案登録請求の範囲】
【請求項１】
飛行翼と該飛行翼を駆動し回転させる駆動装置を具えた発光動力竹とんぼ玩具において、該飛行翼が、
リングと、
該リングの中心点に位置して第１面と第２面を具え、第１面に該駆動装置と仮性係合する軸管が凸設された基板と、
該基板の周縁より輻射状に外向きに凸伸し並びに該リングに連結されると共に、迎風側と該迎風側と反対の尾側を具え、該尾側より下向き斜めに兜風凸片が延伸された、複数の翼片と、
該飛行翼に設けられた発光装置と、
該基板に設けられて発光装置に電力供給する電力供給装置と、
該基板の第２面に閉じ合わされるカバーと、
を具えたことを特徴とする、発光動力竹とんぼ玩具。
【請求項２】
請求項１記載の発光動力竹とんぼ玩具において、前記基板の周縁に包囲壁が凸設され、該包囲壁の内側に複数の係止溝が凹設され、該係止溝が溝口と該包囲壁の方向に沿って所定長さ延伸された溝とを具え、該溝口が垂直に該溝と連通し、前記カバーの底縁に、該溝口に挿入されて回転して該溝に転入される複数の凸片が凸設され、且つ該溝の一側に少なくとも一つの位置決め凹縁が凹設され、該凸片に該位置決め凹縁に係合する係止縁が凸設され、該カバーが回転して前記基板の第２面に閉じ合わされることを特徴とする、発光動力竹とんぼ玩具。
【請求項３】
請求項１記載の発光動力竹とんぼ玩具において、前記電力供給装置が前記発光装置に電気的に連接されたプラス極と、第１導電片に電気的に連接されたマイナス極を具え、且つ該第１導電片がボルトによりカバーの内側面に螺子止めされ、且つ該ボルトが該電力供給装置のマイナス極を圧迫し、カバーが定位に回転させられる時に第２導電片と電気的に連接され、該第２導電片が電気的に該発光装置に連接され、且つ該第２導電片が該基板の第２面に凸設された固定棒により固定されたことを特徴とする、発光動力竹とんぼ玩具。
【請求項４】
請求項１記載の発光動力竹とんぼ玩具において、前記発光装置が複数の発光素子を具え、該発光素子が並列に前記翼片に設置されたことを特徴とする、発光動力竹とんぼ玩具。
【請求項５】
請求項１記載の発光動力竹とんぼ玩具において、前記基板に制御回路が設けられ、該制御回路が電気的に前記発光装置に連接され、且つ該制御回路が電気的に電力供給装置に連接されたことを特徴とする、発光動力竹とんぼ玩具。
【考案の詳細な説明】
【０００１】
【考案の属する技術分野】
本考案は一種の動力竹とんぼ玩具の構造に係り、特に、動力竹とんぼ玩具の飛行翼の構造に関する。
【０００２】
【従来の技術】
伝統的な竹とんぼは、人力で回転させる方式で飛行動力を発生し、例えば特許文献１のようなものがあり、特許文献１に記載の考案は夜間発光機能を具備して夜間使用ができるとはいえ、人力で回転させる方式で発生させる飛行動力は不足し、高く飛ばすことはできず、且つ相当に力を必要とし操作が容易でなく、現在まで商品化に至っていない。
【０００３】
現在動力竹とんぼが、伝統的な竹とんぼの人力及び技巧を必要とする問題を解決するものとして提供されているが、しかし夜間発光機能を具備せず、夜間使用には不適当である。この動力竹とんぼは駆動装置を利用して回転翼を駆動し上昇飛行させる。該駆動装置は軸棒を具え、該軸棒に引き縄が巻かれ、該引き縄が瞬間的に外向きに引っ張られる時に、該軸棒を高速で自転させ、これにより飛行翼を駆動装置より浮き上がらせ、並びに急速に浮上させる。しかし、現在の動力竹とんぼは、前述したように夜間使用に適さないほか、機能が単調で飛行高度が不足する問題を有している。これにより、動力竹とんぼは遊びながら学習する効果を有しているにも関わらず、児童に興味を失わせやすく、人気がなくなっている。
【０００４】
【特許文献１】
台湾実用新案公告第２６５６３１号明細書
【０００５】
【考案が解決しようとする課題】
本考案は一種の新規な動力竹とんぼ玩具を提供することを目的とし、それは、その飛行翼の改善により、現在の動力竹とんぼ玩具の各種の問題点を解決したものとする。
【０００６】
【課題を解決するための手段】
請求項１の考案は、飛行翼と該飛行翼を駆動し回転させる駆動装置を具えた発光動力竹とんぼ玩具において、該飛行翼が、
リングと、
該リングの中心点に位置して第１面と第２面を具え、第１面に該駆動装置と仮性係合する軸管が凸設された基板と、
該基板の周縁より輻射状に外向きに凸伸し並びに該リングに連結されると共に、迎風側と該迎風側と反対の尾側を具え、該尾側より下向き斜めに兜風凸片が延伸された、複数の翼片と、
該飛行翼に設けられた発光装置と、
該基板に設けられて発光装置に電力供給する電力供給装置と、
該基板の第２面に閉じ合わされるカバーと、
を具えたことを特徴とする、発光動力竹とんぼ玩具としている。
請求項２の考案は、請求項１記載の発光動力竹とんぼ玩具において、前記基板の周縁に包囲壁が凸設され、該包囲壁の内側に複数の係止溝が凹設され、該係止溝が溝口と該包囲壁の方向に沿って所定長さ延伸された溝とを具え、該溝口が垂直に該溝と連通し、前記カバーの底縁に、該溝口に挿入されて回転して該溝に転入される複数の凸片が凸設され、且つ該溝の一側に少なくとも一つの位置決め凹縁が凹設され、該凸片に該位置決め凹縁に係合する係止縁が凸設され、該カバーが回転して前記基板の第２面に閉じ合わされることを特徴とする、発光動力竹とんぼ玩具としている。
請求項３の考案は、請求項１記載の発光動力竹とんぼ玩具において、前記電力供給装置が前記発光装置に電気的に連接されたプラス極と、第１導電片に電気的に連接されたマイナス極を具え、且つ該第１導電片がボルトによりカバーの内側面に螺子止めされ、且つ該ボルトが該電力供給装置のマイナス極を圧迫し、カバーが定位に回転させられる時に第２導電片と電気的に連接され、該第２導電片が電気的に該発光装置に連接され、且つ該第２導電片が該基板の第２面に凸設された固定棒により固定されたことを特徴とする、発光動力竹とんぼ玩具としている。
請求項４の考案は、請求項１記載の発光動力竹とんぼ玩具において、前記発光装置が複数の発光素子を具え、該発光素子が並列に前記翼片に設置されたことを特徴とする、発光動力竹とんぼ玩具としている。
請求項５の考案は、請求項１記載の発光動力竹とんぼ玩具において、前記基板に制御回路が設けられ、該制御回路が電気的に前記発光装置に連接され、且つ該制御回路が電気的に電力供給装置に連接されたことを特徴とする、発光動力竹とんぼ玩具としている。
【０００７】
【考案の実施の形態】
本考案は発光動力竹とんぼ玩具を提供し、それは、飛行翼と該飛行翼を駆動し回転させる駆動装置を具えた発光動力竹とんぼ玩具において、該飛行翼が、リングと、該リングの中心点に位置して第１面と第２面を具え、第１面に該駆動装置と仮性係合する軸管が凸設された基板と、該基板の周縁より輻射状に外向きに凸伸し並びに該リングに連結された複数の翼片と、該飛行翼に設けられた発光装置と、該基板に設けられて発光装置に電力供給する電力供給装置と、該基板の第２面に閉じ合わされるカバーと、を具えている。
【０００８】
該飛行翼の各一つの翼片は迎風側と該迎風側と反対の尾側を具え、該尾側より斜め下向きに兜風凸片が延伸され、これにより飛行翼の浮上高度が増加される。
【０００９】
該カバーの外側面の中心に支点が設けられて、該飛行翼が該支点で独楽のように地面で回転可能とされている。
【００１０】
該リング、基板、カバー及び翼片はいずれも透光性を具備する。
そのうち、該基板の周縁に包囲壁が凸設され、該包囲壁の内側に複数の係止溝が凹設され、該係止溝が溝口と該包囲壁の方向に沿って所定長さ延伸された溝とを具え、該溝口が垂直に該溝と連通する。このほか、前記カバーの底縁に、該溝口に挿入されて回転して該溝に転入される複数の凸片が凸設され、且つ該溝の一側に少なくとも一つの位置決め凹縁が凹設され、該凸片に該位置決め凹縁に係合する係止縁が凸設され、該カバーが回転して前記基板の第２面に閉じ合わされる。
【００１１】
前記電力供給装置が前記発光装置に電気的に連接されたプラス極と、第１導電片に電気的に連接されたマイナス極を具え、カバーが定位に回転させられる時に第２導電片と電気的に連接される。該第２導電片が電気的に該発光装置に連接され、且つ該第２導電片が該基板の第２面に凸設された固定棒により固定される。
【００１２】
そのうち、該第１導電片がボルトによりカバーの内側面に螺子止めされ、且つ該ボルトが該電力供給装置のマイナス極を圧迫し、該マイナス極と電気的に連接された状態を保持している。
【００１３】
該基板の第２面の中心に、該電力供給装置を収容する座管が凸設されている。
【００１４】
該発光装置が複数の発光素子を具え、該発光素子が並列に前記翼片に設置されている。
【００１５】
このほか、前記基板に制御回路が設けられ、該制御回路が該発光素子の動作を制御する。この方式により、該飛行翼が所定の回転速度に達する時、該発光素子の点滅時間の制御及び人類視覚の残像の原理により、飛行翼が所定のイメージ或いは文字を表示し、人の注意をひく。
【００１６】
本考案の積極的進歩効果は日中、夜間のいずれでも使用でき、且つ必要により竹とんぼ或いは独楽として使用できることであるが、さらに重要なことは、その飛行翼が比較的高く浮上できるだけでなく、発生する幻光効果により人の注意をひくことができ、動力竹とんぼの推奨に有利であることである。
【００１７】
【実施例】
図１は本考案の好ましい実施例であり、それは、駆動装置１０を利用して手動方式で飛行翼２０を駆動し高速回転させる（電力駆動の駆動装置も使用できる）。さらに詳しくは、該駆動装置１０の引き縄１１を瞬間的に外に引っ張ると、飛行翼２０が対応して高速回転し、並びに該駆動装置１０より離れて高速浮上する。そのうち、該駆動装置１０の部分は周知の技術に属するので、説明は省略する。該飛行翼２０は図１、２、５に示されるように、
リング２１と、
該リング２１の中心点に位置する基板２２と、
該基板２１の周縁より輻射状に外向きに凸伸し並びに該リング２１に連結された複数の翼片２３と、
を具え、該基板２２が第１面２２１と第２面２２２を具え、第１面２２１に該駆動装置１０と仮性係合する軸管２２３が凸設されている。さらに、該第２面２２２に発光装置２４、電力供給装置２５及びカバー２６が設けられている。
【００１８】
そのうち、該発光装置２４は、電力供給装置２５からの電力供給を受けて静態で発光するか動態でフラッシュし、該カバー２６は第２面２２２に閉じ合わされて発光装置２４と電力供給装置２５を被覆保護し、且つそれ自身が透光性を具備して該発光装置２４の光信号の現出を遮蔽しない。
【００１９】
該発光装置２４の光信号の現出、及び人類の眼が快速影像に対して発生する視覚残留（残像）効果にり、飛行翼２０が快速回転する過程で、幻光効果が発生し、特に該飛行翼２０が夜間に空に浮上する時、該幻光効果が更に明らかとなり、人の注目を集める。また一方で、該飛行翼２０が夜間に飛ばされる時、該発光装置の光信号の現出により容易に探し出すことができる。さらに、大幅に該飛行翼２０の幻光効果が高めるため、該リング２１、基板２２及び翼片２３には透光性を具備する材料が採用されて、それが透光性を具備するものとされている。
【００２０】
本実施例中、該カバー２６は半球状とされ、これにより、飛行翼２０が飛ばされる時、飛行翼２０がカバー２６の頂点を支点として地面で回転でき、則ち独楽のように地面で回転できる。言い換えると、カバー２６の外側面の中心に支点があり、飛行翼が逆さまに放り投げられることで、独楽ゲームが楽しめる。これにより、図７に示されるように、該飛行翼２０”の基板２２”もまた錐状を呈するカバー２６”で被覆閉合されうる。
【００２１】
さらに、組立と交換に便利とするため、該カバー２６、２６”には回転式に離合する設計が採用される。例えば、図２、３に示されるように、該基板２２の周縁に包囲壁２７が凸設され、該包囲壁２７の内側に複数の係止溝２８が凹設され、該係止溝２８が溝口２８１と該包囲壁の方向に沿って所定長さ延伸された溝２８２とを具え、該溝口２８１が垂直に該溝２８２と連通し、該溝２８２が該包囲壁２７に沿って所定長さ延伸され、且つ溝２８２の一側に少なくとも一つの位置決め凹縁２８３が凹設される。該カバー２６には、その底縁に複数の凸片２６１が凸設されて各係止溝２８の溝口２８１に挿入される。且つ該凸片２６１に係止縁２６２が凸設されて該位置決め凹縁２８３に係合する。これにより、該カバー２６の凸片２６１が溝口２８１と該溝２８２の連接点部分に移動した時、溝２８２に沿って該カバー２６を回転させれば、凸片２６１を該溝２８２に転入させて並びに該位置決め凹縁２８３に係合位置決めさせることができる。
【００２２】
以上を受け、該カバー２６は回転可能な設計とされ、これにより、カバー２６を回転スイッチとなして、該発光装置２４のオン、オフを決定することができる。さらに詳しくは、図２、５、６に示されるように、該基板２２の第２面２２２は中心に座管３２が設けられ、且つ該座管３２の付近に複数の固定座３３と固定棒３４が設けられている。該電力供給装置２５は該座管３２内に収容される複数の電池を具え、且つそれはプラス極とマイナス極を具え、該プラス極は電気的に発光装置２４に連接され、該マイナス極は第１導電片２９に電気的に連接され、該第１導電片２９はカバー２６の内側面に設けられ、且つ該カバー２６が定位まで回転した時に第２導電片３０に接触し、該第２導電片３０は該固定棒３４に挿入され、並びに該発光装置２４に電気的に連接されている。電力供給回路に関しては、該発光装置２４のオンとオフは、第１導電片２９がカバー２６の回転により第２導電片３０に接触するか否かにより決定される。そのうち、第１導電片２９はボルト３１により該カバー２６の内側面に螺子止めされ、該ボルト３１はカバー２６の回転の過程で、図５に示されるように、該電力供給装置２５のマイナス極に圧接し、マイナス極との電気的連接状態を保持する。
【００２３】
このほか、上述の発光装置２４は発光素子２４１とランプシート２４２を具え、該ランプシート２４２は発光素子２４１と電気的に連接され、並びに電気的に電力供給装置２５に連接されている。また、該固定座３３は二つの係止棒３３１を具え、該二つの係止棒３３１は該ランプシート２４２をその間に係止し、且つ各係止棒３３１はそれぞれフック部３３２を具えてランプシート２４２を係止する。
【００２４】
図４に示されるように、有効に該飛行翼２０の浮上能力を高めるため、該翼片２３は迎風側２３１と該迎風側２３１と反対の尾側２３２を具えている。該尾側２３２より下向き斜めに兜風凸片２３３が延伸されている。これにより、該飛行翼２０が図１の矢印に示される方向に高速回転する時、該翼片２３底面の気流が該兜風凸片２３３により下向きに導かれて浮力を発生し、該飛行翼２０が更に快速に有力に浮上する。実験によると、兜風凸片２３３を設けない状況では、該飛行翼２０の浮上高度は約４から５メートルであるが、兜風凸片２３３を設置した状況では、該飛行翼２０の浮上高度は１０メートルを超える。
【００２５】
また、図８に示されるように、本実用新案のさらに一つの実施例によると、飛行翼２０’はほぼ上述の実施例と同じであるが、異なるところは、それが並列方式で翼片２３’に配置された複数の発光素子２４１’を具え、各発光素子２４１’の点、滅、明、暗の表示状態が、プログラマブルチップを具えた制御回路の制御を受け、該飛行翼’の回転が所定の速度に達した時に、イメージ或いは文字の光信号を発生する。そのうち、該制御回路は基板の上に位置してカバーで遮蔽され、並びに該電力供給装置により運転時に必要な電力が供給される。さらに、人類の視覚残留の原理により、一つの光点が非常に速く回転すると、円周状の光軌跡を形成し、複数の一列をなす光点が非常に速く同じ方向に等速度で回転すると、円形の光面を形成し、これにより、どのランプがいつ点灯し、どれだけの長さ点灯し、いつ滅灯するか、どれだけの長さ滅灯するかを適当に制御することにより、人類視覚残留の原理により、所定の図形或いは文字を発生することができる。これにより、適当なファームウエアにより制御回路を実行すれば、翼片２３’の発光素子２４１’が飛行翼２０’が所定の回転速度で回転する時に、図形或いは文字を表示し、更に人の注意をひくことができる。
【００２６】
このほか、趣味性を増加するため、上述の飛行翼に、スピーカを設置するか或いは小さいホイッスルを設置して、回転時に音を発声するようにすることもできる。
【００２７】
【考案の効果】
本考案の発光動力竹とんぼ玩具は、飛行翼と該飛行翼を駆動し回転させる駆動装置を具え、該飛行翼が、リングと、該リングの中心点に位置して第１面と第２面を具えて第１面に該駆動装置と仮性係合する軸管が凸設された基板と、該基板の周縁より輻射状に外向きに凸伸し並びに該リングに連結された複数の翼片と、該飛行翼に設けられた発光装置と、該基板に設けられて発光装置に電力供給する電力供給装置と、該基板の第２面を閉合するカバーと、を具えている。本考案は日中、夜間のいずれでも使用でき、その飛行高度が高く、且つ幻光効果を有し、また、独楽としての使用もでき、推奨に有利である。
【図面の簡単な説明】
【図１】本考案の実施例の斜視図である。
【図２】本考案の実施例の飛行翼の立体分解図である。
【図３】本考案の実施例中の包囲壁と係止溝の部分立体図である。
【図４】図２のＡ−Ａ断面図である。
【図５】図２の部分断面図である。
【図６】本考案の好ましい実施例のカバーの底面図である。
【図７】本考案の別の好ましい実施例の斜視図である。
【図８】本考案のさらに別の好ましい実施例の斜視図である。
【符号の説明】
１０　駆動装置
１１　引き縄
２０　飛行翼
２１　リング
２２　基板
２２１　第１面
２２２　第２面
２２３　軸管
２３　翼片
２４　発光装置
２５　電力供給装置
２６　カバー
２０”　飛行翼
２２”　基板
２６”　カバー
２７　包囲壁
２８　係止溝
２８１　溝口
２８２　溝
２８３　位置決め凹縁
２６１　凸片
２６２　係止縁
３２　座管
３３　固定座
３４　固定棒
２９　第１導電片
３０　第２導電片
３１　ボルト
２４１　発光素子
２４２　ランプシート
３３１　係止棒
３３２　フック部
２３１　迎風側
２３２　尾側
２３３　兜風凸片
２０’　飛行翼
２３’　翼片
２４１’　発光素子
【図１】
0003097324.tif 000003
【図２】
0003097324.tif 000004
【図３】
0003097324.tif 000005
【図４】
0003097324.tif 000006
【図５】
0003097324.tif 000007
【図６】
0003097324.tif 000008
【図７】
0003097324.tif 000009
【図８】
0003097324.tif 000010